Podtech/llm-jp-corpus-v4-ja_patent huggingface dataset:
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  周面に複数種類の図柄が周方向に沿って配列されている複数の回転リール、各回転リールの図柄の変動を表示させるための始動操作手段、及び各回転リールに対応して設けられており、各回転リールの図柄の変動をそれぞれ個別に停止させるための複数の停止操作手段を備えており、全ての回転リールの図柄の変動が停止したときに、賭けライン上における各回転リールの停止図柄の組み合わせが予め定める役の入賞を示す図柄の組み合わせと一致すると、その入賞役の種類に応じた量の遊技媒体が払い出されるスロットマシンであって、
上記始動操作手段が操作されることを契機として、役の成立に関する内部抽選を行う抽選手段と、
互いに異なる複数の回転リールの停止パターンが登録されているデータテーブルと、
上記各回転リールの図柄の変動が生じている間に、上記抽選手段による内部抽選の結果として内部的に予め定める当選役が成立していることを条件として、上記回転リールに対応した数の予め定める識別情報画像を演出画面上に表示すると共に上記データテーブルから回転リールの停止パターンを選択し、この選択されたリール停止パターンに従って当該演出画面上に表示された各識別情報画像を予め定める方向に時間差を以って移動させることによって、上記各停止操作手段の操作順序を報知する第１の演出手段とを含むこと特徴とするスロットマシン。
【請求項２】  上記第１の演出手段により行われる演出画面上での各識別情報画像の移動表示は、上記各停止操作手段が操作されるまで繰り返し継続してスクロールされることを特徴とする請求項１に記載のスロットマシン。
【請求項３】  上記第１の演出手段により行われる演出画面上での各識別情報画像の移動表示に併せてバックグラウンドミュージックを出力し、上記各停止操作手段の操作に失敗すると、当該バックグラウンドミュージックのメロディーラインを変調させる第２の演出手段をさらに含むことを特徴とする請求項１又は２に記載のスロットマシン。
【請求項４】  上記各回転リールに対応して設けられており、当該各回転リールの図柄の変動及び停止を観察するための複数の表示窓をさらに含み、
上記第１の演出手段には、上記各表示窓の前面に配置されている透明液晶表示パネルが含まれており、この液晶表示パネルにより表示される演出画面上に現れる各識別情報画像は、当該各表示窓の対向する短辺側の２辺のうち一方の辺を結ぶ線分をスタートラインとする一方、他方の辺を結ぶ線分をゴールラインとして、当該各表示窓の長辺及び上記各リールの回転方向に沿ってスタートラインからゴールラインに向かって移動するように表示されることを特徴とする請求項１乃至３の何れかに記載のスロットマシン。
【請求項５】  上記液晶表示パネルは、上記各停止操作手段の操作に成功すると、当該操作に対応する識別情報画像のゴールライン付近に停止操作の成功を演出する表示を行うと共に当該操作に対応する表示窓を包囲する予め定める領域の表示態様に変化を与えることを特徴とする請求項４に記載のスロットマシン。
【請求項６】  上記各識別情報画像は、当選役の入賞図柄を構成する各図柄であることを特徴とする請求項１乃至５の何れかに記載のスロットマシン。
【請求項７】  周面に複数種類の図柄が周方向に沿って配列されている複数の回転リール、各回転リールの図柄の変動を表示させるための始動操作手段、及び各回転リールに対応して設けられており、各回転リールの図柄の変動をそれぞれ個別に停止させるための複数の停止操作手段を備えており、全ての回転リールの図柄の変動が停止したときに、賭けライン上における各回転リールの停止図柄の組み合わせが予め定める役の入賞を示す図柄の組み合わせと一致すると、その入賞役の種類に応じた量の遊技媒体が払い出されるスロットマシンを制御するための方法であって、
上記始動操作手段が操作されることを契機として、役の成立に関する内部抽選を行う第１のステップと、
互いに異なる複数の回転リールの停止パターンが登録されているデータテーブルを用意しておき、上記各回転リールの図柄の変動が生じている間に、上記第１のステップで行われる内部抽選の結果として内部的に予め定める当選役が成立していることを条件として、上記回転リールに対応した数の予め定める識別情報画像を演出画面上に表示すると共に上記データテーブルから回転リールの停止パターンを選択し、この選択されたリール停止パターンに従って当該演出画面上に表示された各識別情報画像を予め定める方向に時間差を以って移動させることによって、上記各停止操作手段の操作順序を報知する第２のステップとを含むこと特徴とするスロットマシンの制御方法。
【手続補正書】
【提出日】平成18年3月8日(2006.3.8)
【手続補正１】
【補正対象書類名】明細書
【補正対象項目名】発明の名称
【補正方法】変更
【補正の内容】
【発明の名称】遊技機データ管理装置
【手続補正２】
【補正対象書類名】明細書
【補正対象項目名】特許請求の範囲
【補正方法】変更
【補正の内容】
【特許請求の範囲】
【請求項１】  内部当選したボーナスを累積的にストックし、所定のストック解除条件が成立することに応じてストックしたボーナスが入賞可能となるように制御される遊技機の複数から取得した稼働データを管理するための遊技機データ管理装置であって、
前記遊技機にストックされているボーナスの数量であるストック数を遊技機側から出力される稼働データに基づいて求めるストック数認識手段と、
前記ストック数認識手段によって求められた前記ストック数を出力する情報出力手段と、を備え、
前記ストック数認識手段は、前日から持ち越している前日ストック数と当日におけるボーナスの内部当選回数との和から、当日におけるボーナスの入賞回数を減じることにより当日ストック数を算出し、
前記情報出力手段は前記当日ストック数を出力することを特徴とする遊技機データ管理装置。
【手続補正３】
【補正対象書類名】明細書
【補正対象項目名】０００１
【補正方法】変更
【補正の内容】
【０００１】
【発明の属する技術分野】
本発明は、パチンコ機やスロットマシン等の遊技機のためのデータ管理装置に関するものである。
【手続補正４】
【補正対象書類名】明細書
【補正対象項目名】０００５
【補正方法】変更
【補正の内容】
【０００５】
上記事情に鑑み、本発明は、ストック機のストックに関するデータを把握および分析できるようにして、ストック機の出玉率調整に寄与することが可能な遊技機データ管理装置を提供することを課題とする。
【手続補正５】
【補正対象書類名】明細書
【補正対象項目名】０００６
【補正方法】変更
【補正の内容】
【０００６】
【課題を解決するための手段及び作用・効果】
上記課題を解決するために本発明は、内部当選したボーナスを累積的にストックし、所定のストック解除条件が成立することに応じてストックしたボーナスが入賞可能となるように制御される複数の遊技機から取得した稼働データを管理するための遊技機データ管理装置であって、遊技機にストックされているボーナスの数量であるストック数を遊技機側から出力される稼働データに基づいて求めるストック数認識手段と、ストック数認識手段によって求められたストック数を出力する情報出力手段と、を備え、ストック数認識手段は、前日から持ち越している前日ストック数と当日におけるボーナスの内部当選回数との和から、当日におけるボーナスの入賞回数を減じることにより当日ストック数を算出し、情報出力手段は当日ストック数を出力することを特徴とする。
【手続補正６】
【補正対象書類名】明細書
【補正対象項目名】００１１
【補正方法】変更
【補正の内容】
【００１１】
また、遊技機データ管理システムとして、内部当選したボーナスを累積的にストックし、所定のストック解除条件が成立することに応じてストックしたボーナスが入賞可能となるように制御する遊技機と、この遊技機側から出力される稼働データに基づいて、遊技機にストックされているボーナスの数量（以下、ストック数ともいう）を求めるストック数認識手段と、このストック数認識手段によって求められたストック数を出力する情報出力手段とを有するデータ管理装置と、遊技機とデータ管理装置とを繋ぐ通信網と、を備えることができる。
【手続補正７】
【補正対象書類名】明細書
【補正対象項目名】００１２
【補正方法】変更
【補正の内容】
【００１２】
上記遊技機データ管理システムによれば、データ管理装置によって、遊技機のストック数が認識される。そして、遊技機がどれだけのストック数を持つのか？という情報が出力される。そのため、遊技店内に配置された各遊技機のストック数を迅速に知ることが可能である。これによれば、営業終了時点のストック数を把握して、１日にどの程度の数量のボーナスがストックされたのか、あるいはストックが放出されたのかを分析することができる。したがって、営業終了時点での翌日に持ち越されるストック数を考慮した上で、翌日の営業のための機械調整（設定変更）を、各遊技機に対して行なうことが可能となる。
【手続補正書】
【提出日】平成18年4月21日(2006.4.21)
【手続補正１】
【補正対象書類名】明細書
【補正対象項目名】００１９
【補正方法】変更
【補正の内容】
【００１９】
本発明の請求項１２に係る医療用投与器具は、薬液が充填された薬液カートリッジと、上記薬液カートリッジを収納するカートリッジホルダーと、上記薬液カートリッジに取り付け可能な注射針部と、上記薬液カートリッジ内の薬液を押し出すためのプランジャーを有する投与器具本体と、上記薬液カートリッジと上記カートリッジホルダーとの間に平行して配設され、その一端に注射針取り付け検知部が形成され、他の端部近傍に突起状の結合抑止部が形成されるイジェクトレバーとを備え、上記カートリッジホルダーが、上記注射針部が上記薬液カートリッジに取り付けられていないときに上記イジェクトレバーの結合抑止部が嵌合する位置に開口部を有し、上記イジェクトレバーが、上記注射針部が上記薬液カートリッジに取り付けられていないときは、上記注射針取り付け検知部に該注射針部が接触せず、上記結合抑止部が上記カートリッジホルダーの開口部から外部方向に突出して上記投与器具本体の端面に当接することにより該カートリッジホルダーと該投与器具本体とが結合するのを抑止し、上記注射針部が上記薬液カートリッジに取り付けられる際に、上記注射針取り付け検知部に該注射針部が接触して該注射針取り付け検知部の位置が移動することにより、上記結合抑止部が上記カートリッジホルダーの開口部からずれて該カートリッジホルダー内に引き込まれ上記投与器具本体の端面に接しないようにするものとしたものである。
【手続補正２】
【補正対象書類名】明細書
【補正対象項目名】００４２
【補正方法】変更
【補正の内容】
【００４２】
本発明の請求項１２に係る医療用投与器具は、薬液が充填された薬液カートリッジと、上記薬液カートリッジを収納するカートリッジホルダーと、上記薬液カートリッジに取り付け可能な注射針部と、上記薬液カートリッジ内の薬液を押し出すためのプランジャーを有する投与器具本体と、上記薬液カートリッジと上記カートリッジホルダーとの間に平行して配設され、その一端に注射針取り付け検知部が形成され、他の端部近傍に突起状の結合抑止部が形成されるイジェクトレバーとを備え、上記カートリッジホルダーが、上記注射針部が上記薬液カートリッジに取り付けられていないときに上記イジェクトレバーの結合抑止部が嵌合する位置に開口部を有し、上記イジェクトレバーが、上記注射針部が上記薬液カートリッジに取り付けられていないときは、上記注射針取り付け検知部に該注射針部が接触せず、上記結合抑止部が上記カートリッジホルダーの開口部から外部方向に突出して上記投与器具本体の端面に当接することにより該カートリッジホルダーと該投与器具本体とが結合するのを抑止し、上記注射針部が上記薬液カートリッジに取り付けられる際に、上記注射針取り付け検知部に該注射針部が接触して該注射針取り付け検知部の位置が移動することにより、上記結合抑止部が上記カートリッジホルダーの開口部からずれて該カートリッジホルダー内に引き込まれ上記投与器具本体の端面に接しないようにするものとしたので、注射針を取り付け忘れた際に生じる、薬液の漏れ、逆流、あるいは薬液カートリッジのひび割れ、破裂等を防ぐことができるという効果がある。
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】  被検眼を照明する照明手段と、該照明手段により照明される領域を撮像する撮像手段と、該撮像手段に撮像される画像に写し込み前記画像の基準位置となる画像基準位置指標を発生する手段と、該画像基準位置指標を基に画像処理を行う画像処理手段とを有することを特徴とする眼科撮影装置。
【請求項２】  前記画像基準位置指標は上下左右の判断可能な指標であることを特徴とする請求項１に記載の眼科撮影装置。
【請求項３】  前記画像処理手段は少なくとも回転処理を行うことを特徴とする請求項１に記載の眼科撮影装置。
【手続補正２】
【補正対象書類名】明細書
【補正対象項目名】００３２
【補正方法】削除
【補正の内容】
【手続補正３】
【補正対象書類名】明細書
【補正対象項目名】００３３
【補正方法】削除
【補正の内容】
【手続補正４】
【補正対象書類名】明細書
【補正対象項目名】００３４
【補正方法】削除
【補正の内容】
【手続補正５】
【補正対象書類名】明細書
【補正対象項目名】００３５
【補正方法】削除
【補正の内容】
【手続補正書】
【提出日】平成18年3月9日(2006.3.9)
【手続補正１】
【補正対象書類名】明細書
【補正対象項目名】請求項２
【補正方法】変更
【補正の内容】
【請求項２】  フイルム又はシートを構成する生分解性ポリマーの、当該生分解性ポリマーのみで構成された厚さ５０μｍのシートのＭＤ方向において測定した曲げ弾性率（ＪＩＳ  Ｋ  ６７８１に準拠して測定した値）が３００ＭＰａ以下で且つ伸度（ＪＩＳ  Ｋ  ６７８１に準拠して測定した値）が４００％以上の生分解性ポリマーである請求項１に記載の防草用シート。
【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】生体触媒を使用する化合物の製造法
【手続補正２】
【補正対象書類名】明細書
【補正対象項目名】特許請求の範囲
【補正方法】変更
【補正の内容】
【特許請求の範囲】
【請求項１】  生体触媒を基質に反応させて化合物を反応槽内で連続的に製造する際に、反応槽内又は反応槽間の上流側よりも下流側の触媒量を増加させることを特徴とする、生体触媒を使用する化合物の製造法。
【請求項２】  反応槽内又は反応槽間の上流側の触媒量よりも下流側の触媒量を相対質量比で１．５倍以上増加させることを特徴とする、請求項１に記載の化合物の製造法。
【請求項３】  生体触媒が酵素を含有する微生物菌体又はその処理物である、請求項１または２に記載の化合物の製造法。
【請求項４】  生体触媒がニトリルヒドラターゼを含有する微生物菌体又はその処理物であって、基質がニトリル化合物である、請求項１から３のいずれかに記載の化合物の製造法。
【手続補正３】
【補正対象書類名】明細書
【補正対象項目名】０００１
【補正方法】変更
【補正の内容】
【０００１】
本発明は、生体触媒を効率的に使用した化合物の製造法に関する。
【手続補正４】
【補正対象書類名】明細書
【補正対象項目名】０００４
【補正方法】変更
【補正の内容】
【０００４】
【発明が解決しようとする課題】
従って本発明は、触媒生産性を充分に向上させることによって、化合物製造時の触媒比例費を低減させ、かつ廃触媒の少ない、低コスト・低環境負荷型の生体触媒を使用した化合物の製造法を提供することを目的とする。
【手続補正５】
【補正対象書類名】明細書
【補正対象項目名】０００５
【補正方法】変更
【補正の内容】
【０００５】
【課題を解決するための手段】
本発明者らは、上記課題を解決すべく鋭意検討を行った結果、触媒量を反応槽内又は反応槽間の上流側よりも下流側において増加させることにより触媒生産性が向上することを見出し、本発明を完成させるに至った。
すなわち、本発明は以下の（１）から（４）の発明を包含する。
（１）生体触媒を基質に反応させて化合物を反応槽内で連続的に製造する際に、反応槽内又は反応槽間の上流側よりも下流側の触媒量を増加させることを特徴とする、生体触媒を使用する化合物の製造法。
（２）反応槽内又は反応槽間の上流側の触媒量よりも下流側の触媒量を相対質量比で１．５倍以上増加させることを特徴とする、上記（１）に記載の化合物の製造法。
（３）生体触媒が酵素を含有する微生物菌体又はその処理物である、上記（１）または（２）に記載の化合物の製造法。
（４）生体触媒がニトリルヒドラターゼを含有する微生物菌体又はその処理物であって、基質がニトリル化合物である、上記（１）から（３）のいずれかに記載の化合物の製造法。
以下、本発明を詳細に説明する。
【手続補正書】
【提出日】平成18年2月20日(2006.2.20)
【手続補正１】
【補正対象書類名】明細書
【補正対象項目名】０００３
【補正方法】変更
【補正の内容】
【０００３】  このような症状には、入浴やマッサージなどで血流を増加させて筋肉の凝りなどを解消するのも一法であるが、手軽な手段として磁気による血流循環の促進作用を利用した治療具が使用されている。
すなわち、この種の磁気治療具は、通常、基材シートの一側面に形成した粘着剤塗布面に磁束密度が概ね１００ミリテスラ（ｍＴ）程度の粒状の永久磁石を配置することにより構成されているが、幼小児が粒状永久磁石を誤飲する等の危険があるため取扱いに注意を要するだけでなく、使用時の違和感や外観などのため磁石の粒径を大きくできないことから有効作用面積が限られてしまうなどの問題が指摘されていた。
【手続補正２】
【補正対象書類名】明細書
【補正対象項目名】００１４
【補正方法】変更
【補正の内容】
【００１４】  このように構成した本発明に係る血行改善用貼着材を使用するに際しては、貼着テープ材２０を適宜の長さに切断して剥離シート１８を剥離したのち、運動による疲労やストレスによる緊張、加齢など種々の原因で筋肉に生じた凝りの部位あるいは痛みやむくみなどのある所望部位に適宜貼着することにより、テープ状基材１２の繊維分子に分子結合されたナノレベルサイズのイオン化チタンおよびイオン化トルマリン、イオン化銀、イオン化銅などがその電位差によって生じる微弱な電流でマイナスエレクトロンを発生させるだけでなく、貼着部位の温度（体温）と気温の差、湿気（水分）、摩擦などによっても微弱電流、マイナスエレクトロン、熱等が生じて貼着部位（人体）に放射されることになり、その結果、血流が増加して凝りや痛み、むくみなどの解消を図ることができるものである。
なお、この場合、イオン化ミネラルには、イオン化銀、イオン化銅なども含まれているため、これらの金属元素（イオン）自体が有する抗菌作用によってかぶれなどにも好適に対処することができる。
【手続補正書】
【提出日】平成18年8月26日(2006.8.26)
【手続補正１】
【補正対象書類名】特許請求の範囲
【補正対象項目名】全文
【補正方法】変更
【補正の内容】
【特許請求の範囲】
【請求項１】
所定の信号に基づき抽選を行い、当該抽選結果に基づき入賞判定を行う入賞抽選手段を備える遊技機において、前記入賞抽選手段は、前記信号を受け、前記信号に揺らぎを加えて出力する揺らぎ発生器を含み、前記入賞抽選手段は前記揺らぎ発生器の出力に基づき抽選を行うことを特徴とする遊技機。
【請求項２】
前記入賞抽選手段は、入賞抽選用の乱数を発生する乱数発生器と、前記乱数発生器が発生する乱数を前記揺らぎ発生器の出力に基づき抽出する乱数抽出器と、抽選に係る数値と入賞の対応関係を予め格納する入賞判定テーブルと、前記入賞判定テーブルを参照して前記乱数抽出器により抽出された乱数の入賞の有無及び又は入賞の種類を判定する判定部とを備えることを特徴とする請求項１記載の遊技機。
【請求項３】
前記入賞抽選手段は、所定のクロックで動作するタイマカウンタと、前記揺らぎ発生器の出力に基づき前記タイマカウントの出力からひとつ又は複数の値を抽出して出力する乱数抽出器と、前記乱数抽出器の出力を乱数の種として乱数を発生させる乱数発生器とを含むことを特徴とする請求項１記載の遊技機。
【請求項４】
前記揺らぎ発生器は、前記抽選に係る信号の受信からその出力までの時間を毎回不規則に変動させることを特徴とする請求項１記載の遊技機。
【請求項５】
所定の信号に基づき抽選を行い、当該抽選結果に基づき入賞判定を行う方法であって、
前記信号を受けて、前記信号に揺らぎを加える第１ステップと、
乱数を発生する第２ステップと、
前記第２ステップで発生された乱数の中から前記第１ステップで揺らぎの加えられた信号に基づき乱数を抽出する第３ステップと、
予め用意された入賞判定テーブルを参照して前記第３ステップで抽出された乱数の入賞の有無及び又は入賞の種類を判定する第４ステップと、を備える遊技機の入賞判定方法。
【請求項６】
前記第１ステップにおいて、前記抽選に係る信号の受信からその出力までの時間を毎回不規則に変動させることを特徴とする請求項５記載の遊技機。
【請求項７】
所定の信号に基づき抽選を行い、当該抽選結果に基づき入賞判定を行う方法をコンピュータに実行させるためのプログラムであって、
前記信号を受けて、前記信号に揺らぎを加える第１ステップと、
乱数を発生する第２ステップと、
前記第２ステップで発生された乱数の中から前記第１ステップで揺らぎの加えられた信号に基づき乱数を抽出する第３ステップと、
予め用意された入賞判定テーブルを参照して前記第３ステップで抽出された乱数の入賞の有無及び又は入賞の種類を判定する第４ステップとをコンピュータに実行させることを特徴とするプログラム。
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部が揺動可能に取り付けられると共に、貯留タンク、タンクレール、機構板等の遊技機の裏機構を構成する裏機構構成部品に対し着脱可能に取り付けられる球ならし部取付部材とを備え、
この球ならし部取付部材が前記裏機構構成部品に固定された状態で、この球ならし部取付部材に対し前記球ならし部が着脱可能とされ、
さらに、前記裏機構構成部品に対する前記球ならし部取付部材の取付位置を変更可能に設定する取付位置可変設定手段を備えたことを特徴とする遊技機。
【請求項２】
上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部が揺動可能に取り付けられると共に、貯留タンク、タンクレール、機構板等の遊技機の裏機構を構成する裏機構構成部品に対し着脱可能に取り付けられる球ならし部取付部材とを備え、
前記球ならし部取付部材の一部が係合部として形成され、この係合部が前記球ならし部に形成された被係合部と係合することにより前記球ならし部が前記球ならし部取付部材に対して取り付けられるようになっており、
かつ、前記係合部と前記被係合部の少なくともいずれか一方が、係合位置と係合解除位置との間で弾性変形可能に形成されており、
さらに、前記裏機構構成部品に対する前記球ならし部取付部材の取付位置を変更可能に設定する取付位置可変設定手段を備えたことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記課題を解決するための有効な手段とその作用・効果を以下に示す。
手段１．上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部が揺動可能に取り付けられると共に、貯留タンク、タンクレール、機構板等の遊技機の裏機構を構成する裏機構構成部品に対し着脱可能に取り付けられる球ならし部取付部材とを備え、
この球ならし部取付部材が前記裏機構構成部品に固定された状態で、この球ならし部取付部材に対し前記球ならし部が着脱可能とされ、
さらに、前記裏機構構成部品に対する前記球ならし部取付部材の取付位置を変更可能に設定する取付位置可変設定手段を備えたことを特徴とする遊技機。
【手続補正４】
【補正対象書類名】明細書
【補正対象項目名】０００９
【補正方法】変更
【補正の内容】
【０００９】
手段１（即ち請求項１）のように構成すれば、使用状況に応じて球ならし部の調整・交換が行いやすく、かつ着脱に伴う裏機構構成部品に対する損傷や破損などの問題を解決しうる構成となる。また、裏機構構成部品に対して球ならし部取付部材の位置調整が可能となり、使用状況に応じて（使用する球のすべり具合や球圧などに応じて）最適位置に設定することが可能となる。
【手続補正５】
【補正対象書類名】明細書
【補正対象項目名】００１０
【補正方法】変更
【補正の内容】
【００１０】
手段２．上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部が揺動可能に取り付けられると共に、貯留タンク、タンクレール、機構板等の遊技機の裏機構を構成する裏機構構成部品に対し着脱可能に取り付けられる球ならし部取付部材とを備え、
前記球ならし部取付部材の一部が係合部として形成され、この係合部が前記球ならし部に形成された被係合部と係合することにより前記球ならし部が前記球ならし部取付部材に対して取り付けられるようになっており、
かつ、前記係合部と前記被係合部の少なくともいずれか一方が、係合位置と係合解除位置との間で弾性変形可能に形成されており、
さらに、前記裏機構構成部品に対する前記球ならし部取付部材の取付位置を変更可能に設定する取付位置可変設定手段を備えたことを特徴とする遊技機。
【手続補正６】
【補正対象書類名】明細書
【補正対象項目名】００１１
【補正方法】変更
【補正の内容】
【００１１】
手段２（即ち請求項２）のように構成すれば球ならし部と球ならし部取付部材を係合により取り付けることが可能となり、取付に関し特別な部品（例えばねじ等）を設ける必要がなくなると共に、球ならし部の交換が行いやすい構成となる。そして、このように弾性変形によって係合する部品を用いて取りつけると着脱の頻度によっては破損する虞があるが、球ならし部取付部材が裏機構構成部品に対して着脱可能に構成されているため、このように破損可能性のある構成であっても安価にメンテナンスできることとなる。また、裏機構構成部品に対して球ならし部取付部材の位置調整が可能となり、使用状況に応じて（使用する球のすべり具合や球圧などに応じて）最適位置に設定することが可能となる。
【手続補正７】
【補正対象書類名】明細書
【補正対象項目名】００５８
【補正方法】削除
【補正の内容】
【手続補正８】
【補正対象書類名】明細書
【補正対象項目名】００５９
【補正方法】変更
【補正の内容】
【００５９】
＜請求項１の発明＞
請求項１のように構成すれば、使用状況に応じて球ならし部の調整・交換が行いやすく、かつ着脱に伴う裏機構構成部品に対する損傷や破損などの問題を解決しうる構成となる。また、裏機構構成部品に対して球ならし部取付部材の位置調整が可能となり、使用状況に応じて（使用する球のすべり具合や球圧などに応じて）最適位置に設定することが可能となる。
＜請求項２の発明＞
請求項２のように構成すれば、球ならし部と球ならし部取付部材を係合により取り付けることが可能となり、取付に関し特別な部品（例えばねじ等）を設ける必要がなくなると共に、球ならし部の交換が行いやすい構成となる。そして、このように弾性変形によって係合する部品を用いて取りつけると着脱の頻度によっては破損する虞があるが、球ならし部取付部材が裏機構構成部品に対して着脱可能に構成されているため、このように破損可能性のある構成であっても安価にメンテナンスできることとなる。また、裏機構構成部品に対して球ならし部取付部材の位置調整が可能となり、使用状況に応じて（使用する球のすべり具合や球圧などに応じて）最適位置に設定することが可能となる。
【手続補正書】
【提出日】平成18年3月8日(2006.3.8)
【手続補正１】
【補正対象書類名】明細書
【補正対象項目名】全文
【補正方法】変更
【補正の内容】
【書類名】      明細書
【発明の名称】  ゴルフスイング力向上鉄アレイ
【特許請求の範囲】
【請求項１】握り部となる、円柱状の鉄製アレイ本体に、５本の指で握れる程度の幅及び深さのみぞ部を有し、片端のみに重りを有していることを特徴とするクラブグリップ型のゴルフスイング力向上鉄アレイ。
【請求項２】前記の円柱状の鉄製アレイ本体の下部に膨らみを形成してなることを特徴とする請求項１に記載のゴルフスイング力向上鉄アレイ。
【請求項３】前記の重りをクラブヘッド形にしてなることを特徴とする請求項１または請求項２に記載のゴルフスイング力向上鉄アレイ。
【請求項４】握り部となる、円柱状の鉄製アレイ本体に、５本の指で握れる程度の幅及び深さのみぞ部を有し、片端のみに重りを形成すると共に、前記重りの重さを変える事で、５００ｇ〜２ｋｇまでの重量にすることを特徴とするゴルフスイング力向上鉄アレイの重量調整方法。
【発明の詳細な説明】
【０００１】
【産業上の利用分野】
本発明は、ゴルフ時の利き手腕の筋力増強及びゴルフスイングのパワーアップを同時に図ることができるゴルフスイング力向上鉄アレイに関する。
【０００２】
【従来の技術】
従来の鉄アレイは、円柱状の握り部と両端の重り部とからなっており、手で持ち、体を鍛えるだけのものである。
【０００３】
【発明が解決しようとする課題】
したがって、腕の筋力増強を図ることは出来るが、この鉄アレイでゴルフのスイングのトレーニングをする時に、両端の重りが胸にかかり、握り部はすべるので、スイングをする為の練習には不十分である。
【０００４】
【課題を解決するための手段】
本発明の技術的課題は次のような手段によって解決される。すなわち、鉄アレイ本体を握り部にして、５本の指で握れる様なみぞ部とし、かつ、片方の重りを無くして、ゴルフクラブのグリップ型にしたことを特徴とするゴルフスイング力向上鉄アレイである。
【０００５】
【作用】
鉄アレイ両端の重りから片方の重りを無くし、円柱状に５本の指が入る程度の幅および深さのみぞ部を形成して、握れるようにすることによって、スイングトレーニングが出来る。そして、そのゴルフ用のスイング鉄アレイで練習することにより腕力増強とスイングパワーアップが促進される。
【０００６】
【発明の実施の形態】
次に本発明によるゴルフスイングの筋力向上用の鉄アレイが実際上どのように具体化されるか実施形態を説明する。図１は本発明によるゴルフスイング用鉄アレイの斜視図である。図２の各部の名称からも明らかなように、５本の指が入る程度の幅及び深さのみぞ部２を有し、クラブグリップ型で握りやすくしてある。握り部の上部がウェイト部で、図４のように実際に手に持ってスイングがやりやすい様にされている。
【０００７】
【発明の効果】
請求項１のように、鉄アレイ握り部となる円柱状の鉄製本体周面に５本の指が入る程度の幅及び深さのみぞ部を有し、すべらない様にしてスイング練習が出来、スイング腕力のパワーアップになる。
また、両端の重りから片方の重りを無くして、クラブグリップ型にしたので、持ちやすい。これでゴルフのスイングをイメージし練習が出来、スイング腕力のパワーアップになる。
請求項４のように、５本の指で握れる鉄アレイ握り部の上部の重りの重量を５００ｇ〜２ｋｇまでの範囲で小〜大に変える事により、小女用〜大男用まで、ゴルフ用筋力の向上とスイングパワーアップの練習が出来る。
【図面の簡単な説明】
【０００８】  
【図１】本発明によるゴルフスイング鉄アレイを示す傾斜図である。
【図２】図１のゴルフスイング鉄アレイの各部に名称を付した斜視図である。
【図３】図１、図２のゴルフスイング鉄アレイの正面図で、楕円や色々形を変える事ができる。
【図４】図１、図２のゴルフスイング鉄アレイを実際に手に持った斜視図である。
【符号の説明】
【０００９】  
１．鉄アレイ
２．指が入るみぞ部
３．クラブのグリップ形部
４．ウエイト部
５．上部
６．下部
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
所定の遊技媒体を用いて遊技を行い、特定条件が成立した場合には遊技者に遊技価値を付与可能な遊技機であって、
遊技中において特定の遊技又は遊技演出を行うか否かを遊技者に選択させる構成とし、
前記特定の遊技又は遊技演出を行うことを選択又は決定する第１操作手段と、
前記特定の遊技又は遊技演出を行わないことを選択又は決定する第２操作手段とを備え、
前記第２操作手段を前記第１操作手段に比べて操作困難な形態としたことを特徴とする遊技機。
【請求項２】
所定の遊技媒体を用いて遊技を行い、特定条件が成立した場合には遊技者に遊技価値を付与可能な遊技機であって、
所定の管理媒体に記憶された遊技媒体の貸出情報を入力して遊技媒体の貸出処理を行う貸出処理手段と、
前記管理媒体の返却処理を行う返却処理手段と、
前記貸出処理を行うために遊技者が操作可能な第１操作手段と、
前記返却処理を行うために遊技者が操作可能な第２操作手段とを備え、
前記第２操作手段を前記第１操作手段に比べて操作困難な形態としたことを特徴とする遊技機。
【請求項３】
前記第２操作手段は、前記第１操作手段に比べて操作困難な形態として、少なくとも前記第１操作手段に比べて視認困難な形態をとっていることを特徴とする請求項１又は２に記載の遊技機。
【請求項４】
前記第２操作手段は、前記第１操作手段に比べて操作困難な形態として、少なくとも前記第１操作手段に比べて遊技機に対して奥まった位置に位置した形態をとっていることを特徴とする請求項１乃至３のいずれかに記載の遊技機。
【請求項５】
前記第２操作手段は、前記第１操作手段に比べて操作困難な形態として、少なくとも大きさが前記第１操作手段に比べて小さい形態をとっていることを特徴とする請求項１乃至４のいずれかに記載の遊技機。
【請求項６】
前記第２操作手段を覆う開閉可能な被覆手段を備え、
前記被覆手段が開状態である場合には、前記第２操作手段が操作可能な形態となり、
前記被覆手段が閉状態である場合には、前記第１操作手段に比べて操作困難な形態として、前記第２操作手段が操作不能な形態となることを特徴とする請求項１乃至５のいずれかに記載の遊技機。
【請求項７】
前記第１操作手段及び第２操作手段が特定の操作ユニットとして一体的に設けられていることを特徴とする請求項１乃至６のいずれかに記載の遊技機。
【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】
被検者にＸ線を照射するＸ線発生部と、このＸ線発生部と前記被検者を挟んで対向配置され前記被検者の透過Ｘ線をＸ線画像として検出するＸ線平面検出器と、このＸ線平面検出器により検出されたＸ線画像を表示する表示装置とを備えたＸ線診断装置において、複数のＸ線透視又はＸ線撮影の各モードに応じた前記Ｘ線平面検出器の残像の減衰情報を記憶する手段と、この記憶手段に記憶された前記Ｘ線平面検出器の残像の減衰情報に基づき経時的に減衰される残像の補正演算を行う手段とを備えたことを特徴とするＸ線画像診断装置。
【請求項２】
請求項１のＸ線画像診断装置において、前記記憶手段により記憶された複数の残像減衰情報のうちの数値の依存性に応じて重み付け演算する手段を備え、前記補正演算手段は、前記記憶手段に記憶されたＸ線平面検出器の残像の減衰情報と前記重み付け演算手段により演算された重み付け演算結果とに基づき残像の補正演算を行うことを特徴とするＸ線画像診断装置。
【請求項３】
請求項１のＸ線画像診断装置において、前記記憶手段は、複数回連続して撮影するとき、連続撮影枚数・撮影間隔に応じてＸ線平面検出器の残像の減衰情報記憶すると共に、前記補正演算手段は、前記連続撮影の期間をある時間毎に区切り、各期間の枚数と重み係数からなる評価関数により、前記記憶手段に記憶された前記Ｘ線平面検出器の残像の減衰情報を選択し、その選択された前記Ｘ線平面検出器の残像の減衰情報に基づき経時的に減衰される残像の補正演算を行うことを特徴とするＸ線画像診断装置。
【手続補正書】
【提出日】平成18年4月20日(2006.4.20)
【手続補正１】
【補正対象書類名】明細書
【補正対象項目名】発明の名称
【補正方法】変更
【補正の内容】
【発明の名称】遊技機梱包体及び遊技機用制御関連部材の梱包体
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】
情報資源を蓄積するサーバに、店舗に設置された複数の業務用ゲーム機と、前記店舗の店員によって操作される携帯端末装置とが通信可能に接続された情報資源配信システムであって、
前記業務用ゲーム機が、
固有の筐体識別標識を有する筐体と、前記筐体に内蔵され交換可能である、固有のボード識別標識を有する情報処理基板と、を有し、
前記携帯端末装置が、
前記業務用ゲーム機の筐体識別標識を入力する手段と、
前記ボード識別標識を入力する手段と、
入力された情報を前記サーバに送信する入力情報送信手段と、
前記業務用ゲーム機に配信可能な情報資源のリストを表示する表示手段と、
当該リストの中から特定の情報資源を前記店員が選択可能な選択手段と、を有し、
前記サーバが、
前記筐体識別標識および前記ボード識別標識からなる前記業務用ゲーム機の情報を記憶する記憶手段と、
前記携帯端末装置から受信した前記筐体識別標識により特定される前記業務用ゲーム機に配信可能な情報資源のリストを作成するリスト作成手段と、
前記リストを前記携帯端末装置に配信するとともに、前記リストの中から前記選択手段によって選択された情報資源を、指定された業務用ゲーム機に配信する通信手段と、を有する
情報資源配信システム。
【請求項２】
前記業務用ゲーム機に配信可能な情報資源のリストは、前記筐体識別標識および前記筐体識別標識に関連付けられた前記ボード識別標識に基づいて作成される請求項１に記載の情報資源配信システム。
【請求項３】
前記サーバは、情報資源のライセンス数を管理し、
前記選択手段によって選択された情報資源が、所定のライセンス数の範囲内と判断した場合に、前記指定された業務用ゲーム機に情報資源を配信する請求項１又は２に記載の情報資源配信システム。
【請求項４】
前記携帯端末装置に表示される前記リストの中に、更に、情報資源のライセンスに関する情報が含まれる請求項１〜３のいずれか１項に記載の情報資源配信システム。
【請求項５】
前記サーバは、所定領域内での前記業務用ゲーム機の配置に関するレイアウト情報を有し、当該レイアウト情報に基づき、前記情報資源を配信すべき業務用ゲーム機が前記携帯端末装置を介して選択される請求項１〜４のいずれか１項に記載の情報資源配信システム。
【請求項６】
前記サーバは、前記業務用ゲーム機のいずれかに異常が生じた場合に前記業務用ゲーム機のエラー情報を検知する手段を備え、そのエラー情報を前記携帯端末装置に送信する請求項１〜５のいずれか１項に記載の情報資源配信システム。
【請求項７】
前記サーバは、所定領域内での前記業務用ゲーム機の配置状況と、業務用ゲーム機への前記情報資源の配信状況と、を記憶する手段を備え、前記配置状況または前記配信状況を前記携帯端末装置の表示手段に表示させる請求項１〜６のいずれか１項に記載の情報資源配信システム。
【請求項８】
店舗に設置された複数の業務用ゲーム機と、前記店舗の店員によって操作される携帯端末装置とが通信可能に接続されてなり、当該携帯端末装置から送信された情報に基づき、指定された情報資源を指定された前記業務用ゲーム機に配信するサーバであって、
前記筐体識別標識および前記ボード識別標識からなる前記業務用ゲーム機の情報を記憶する記憶手段と、
前記携帯端末装置から受信した前記筐体識別標識により特定される前記業務用ゲーム機に配信可能な情報資源のリストを作成するリスト作成手段と、
前記リストを前記携帯端末装置に配信するとともに、前記リストの中から前記携帯端末装置を介して選択された情報資源を、指定された業務用ゲーム機に配信する通信手段と、を有するサーバ。
【請求項９】
情報資源を蓄積するサーバに、店舗に設置された複数の業務用ゲーム機と、前記店舗の店員によって操作される携帯端末装置と、が通信可能に接続された情報資源配信システムの情報資源配信方法であって、
前記業務用ゲーム機が、固有の筐体識別標識を有する筐体と、前記筐体に内蔵され交換可能である、固有のボード識別標識を有する情報処理基板と、を有し、
前記携帯端末装置により、前記業務用ゲーム機の筐体識別標識と前記ボード識別標識を入力し、入力された情報を前記サーバに送信し、
前記サーバが、前記携帯端末装置から受信した筐体識別標識およびボード識別標識の入力情報が、予め記憶している筐体識別標識およびボード識別標識であるか否かを判別し、前記携帯端末装置から受信した前記筐体識別標識により特定される前記業務用ゲーム機に配信可能な情報資源のリストを作成し、前記リストを前記携帯端末装置に配信し、
前記携帯端末装置に、前記業務用ゲーム機に配信可能な情報資源のリストを表示させ、当該リストの中から特定の情報資源を前記店員が選択し、前記リストの中から選択された情報資源を、指定された業務用ゲーム機に配信する、
情報資源配信方法。
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  嫌気性消化を行なう有機性廃液の処理方法であって、
流入する有機性廃液の少なくとも一部に対して、物理化学的手段による処理を行なう物理化学的処理工程と、
該物理化学的処理工程ののち、有機性廃液を溶液と固形物とに分離する固液分離工程と、
当該溶液からリンを回収するリン回収工程と、
当該固形物を嫌気性消化を行なう槽に導入して、該固形物に嫌気性消化を行なう工程
とを含む方法。
【請求項２】  嫌気性消化を行なう有機性廃液の処理方法であって、
当該嫌気性消化を行なう工程から引き抜かれた消化汚泥、または当該消化汚泥を固液分離したのちの固形成分である濃縮汚泥の少なくとも一部分に対して、物理化学的手段による処理を行なう物理化学的処理工程と、
該物理化学的処理工程ののち、前記消化汚泥または前記濃縮汚泥を、溶液と固形物とに分離する固液分離工程と、
当該溶液からリンを回収するリン回収工程と、
当該固形物を嫌気性消化を行なう槽に導入して、該固形物に嫌気性消化を行なう工程
とを含む方法。
【請求項３】  嫌気性消化を行なう有機性廃液の処理方法であって、
嫌気性消化を行なう工程から引き抜かれた消化汚泥、または当該消化汚泥を固液分離したのちの固形成分である濃縮汚泥の少なくとも一部分と、流入する有機性廃液の少なくとも一部分とを混合した混合物に対して、物理化学的手段による処理を行なう物理化学的処理工程と、
該物理化学的処理工程ののち、前記混合物を、溶液と固形物とに分離する固液分離工程と、
当該溶液からリンを回収するリン回収工程と、
当該固形物を嫌気性消化を行なう槽に導入して、該固形物に嫌気性消化を行なう工程
とを含む方法。
【請求項４】  前記リン回収工程後の溶液の一部または全部を嫌気性消化を行う槽に導入して当該溶液の嫌気性消化を行う請求項１〜３のいずれかに記載の方法。
【請求項５】  前記嫌気性消化を行なう工程において、消化汚泥の濃度、ｐＨ、嫌気度または消化汚泥の微生物活性のうち少なくとも１つを計測し、当該計測の結果に応じて前記物理化学的処理を制御する請求項１〜４のいずれかに記載の方法。
【請求項６】  前記流入する有機性廃液に対し固形物濃度、ｐＨまたは嫌気度のうち少なくとも１つを計測し、当該計測の結果に応じて前記物理化学的処理を制御する請求項１〜５のいずれかに記載の方法。
【請求項７】  前記物理化学的処理において、処理中または処理後の有機性廃液、消化汚泥、濃縮汚泥またはこれらの混合物に対し有機物濃度、固形物濃度、ｐＨ、嫌気度または消化汚泥の微生物活性のうち少なくとも１つを計測し、当該計測の結果に応じて固形物の前記物理化学的処理を制御する請求項１〜６のいずれかに記載の方法。
【請求項８】  前記溶液中のリン濃度を計測し、当該計測の結果に応じて前記物理化学的処理を制御する請求項１〜７のいずれかに記載の方法。
【請求項９】  前記溶液中のリン濃度を計測し、当該計測の結果に応じて前記リン回収工程を制御する請求項１〜８のいずれかに記載の方法。
【請求項１０】  前記物理化学的処理が、オゾン処理、アルカリ処理、超音波処理および加温処理からなる群のうちから選択された１種または２種以上の処理からなる請求項１〜９のいずれかに記載の有機性廃液の処理方法。 
【請求項１１】  嫌気性消化を行なう装置を備える有機性廃液の処理装置であって、
流入する有機性廃液の少なくとも一部分に対して物理化学的処理を行なう処理装置と、
当該処理装置で処理されたのちの有機性廃液を溶液と固形物とに分離する分離装置と、
当該溶液からリンを回収するリン回収装置と、
当該固形物を嫌気性消化を行なう装置に導入するための導入手段
とを備える装置。
【請求項１２】  嫌気性消化を行なう装置を備える有機性廃液の処理装置であって、
当該嫌気性消化を行なう装置から引き抜かれた消化汚泥を固液分離する汚泥分離装置と、
当該消化汚泥、または当該汚泥分離装置により得られる濃縮汚泥の少なくとも一部分に対して物理化学的処理を行なう処理装置と、
当該処理装置で処理されたのちの該消化汚泥または当該濃縮汚泥を溶液と固形物とに分離する分離装置と、
当該溶液からリンを回収するリン回収装置と、
当該固形物を嫌気性消化を行なう装置に導入するための導入手段
とを備える装置。
【請求項１３】  嫌気性消化を行なう装置を備える有機性廃液の処理装置であって、
当該嫌気性消化を行なう装置から引き抜かれた消化汚泥を固液分離する汚泥分離装置と、
当該消化汚泥、または当該汚泥分離装置により得られる濃縮汚泥の少なくとも一部分と流入する有機性廃液の少なくとも一部分との混合物の物理化学的処理を行なう処理装置と、
当該処理装置で処理されたのちの該混合物を溶液と固形物とに分離する分離装置と、
該溶液からリンを回収するリン回収装置と、
当該固形物を嫌気性消化を行なう装置に導入するための導入手段
とを備える装置。
【請求項１４】  溶液からリンを回収する前記リン回収装置においてリン回収後の溶液の一部または全部を導入して、嫌気性消化を行うための槽をさらに備えてなる請求項１１〜１３のいずれかに記載の装置。
【請求項１５】  前記嫌気性消化を行なう装置の消化汚泥の濃度、ｐＨ、嫌気度または消化汚泥の微生物活性のうち少なくとも１つを計測するための計測装置、当該計測装置による計測結果に応じて前記物理化学的処理を制御するためのコントローラとをさらに備える請求項１１〜１４のいずれかに記載の装置。
【請求項１６】  前記流入する有機性廃液の固形物濃度、ｐＨまたは嫌気度のうち少なくとも１つを計測するための計測装置と、当該計測装置による計測結果に応じて前記物理化学的処理を制御するためのコントローラをさらに備える請求項１１〜１５のいずれかに記載の装置。
【請求項１７】  前記物理化学的処理において、処理中または処理後の有機性廃液、消化汚泥、濃縮汚泥またはこれらの混合物の、有機物濃度、固形物濃度、ｐＨ、嫌気度または消化汚泥の微生物活性のうち少なくとも１つを計測するための計測装置と、当該計測装置による計測結果に応じて固形物の前記物理化学的処理を制御するためのコントローラをさらに備える請求項１１〜１６のいずれかに記載の装置。
【請求項１８】  前記溶液中のリン濃度を計測するための計測装置と、当該計測装置による計測結果に応じて前記物理化学的処理を制御するためのコントローラをさらに備える請求項１１〜１７のいずれかに記載の装置。
【請求項１９】  前記溶液中のリン濃度を計測するための計測装置と、当該計測装置による計測結果に応じて前記リン回収工程を制御するためのコントローラをさらに備える請求項１１〜１８のいずれかに記載の装置。
【請求項２０】  前記物理化学的処理が、オゾン処理、アルカリ処理、超音波処理および加温処理からなる群のうちから選択された１種または２種以上の処理からなる請求項１１〜１９のいずれかに記載の装置。